(57)【要約】【課題】リソースを増設することなく、通常再生に加え特殊再生時にも充分な伝送帯域を確保する。【解決手段】パケット化されたオーディオデータを通常再生するためにＡＶデコーダに伝送するためのオーディオデータ伝送路と、パケット化されたビデオデータを通常再生または特殊再生するためにＡＶデコーダに伝送するためのビデオデータ伝送路とを有し、特殊再生を行う時には前記ビデオデータを前記オーディオデータ伝送路と前記ビデオデータ伝送路との両方を使って前記ＡＶデコーダに伝送する。【選択図】  図１
2004207787.tif 000002
【特許請求の範囲】
【請求項１】
パケット化されたオーディオデータとビデオデータを記憶する記憶手段と、
前記記憶手段から記憶されているオーディオデータとビデオデータの両方または何れか一方を通常再生または特殊再生を行うために読み出す制御手段と、
前記読み出したオーディオデータとビデオデータを通常再生または特殊再生するためにデコードするＡＶデコーダと、
前記読み出したオーディオデータを前記制御手段から前記ＡＶデコーダに伝送するためのオーディオデータ伝送路と、
前記読み出したビデオデータを前記制御手段から前記ＡＶデコーダに伝送するためのビデオデータ伝送路と、
を有し、
前記制御手段が特殊再生を行う時には、前記読み出したビデオデータを前記オーディオデータ伝送路と前記ビデオデータ伝送路との両方を使って、前記制御装置から前記ＡＶデコーダに伝送する、
オーディオ・ビデオデータ記憶再生装置。
【請求項２】
パケット化されたオーディオデータを通常再生するためにＡＶデコーダに伝送するためのオーディオデータ伝送路と、
パケット化されたビデオデータを通常再生または特殊再生するためにＡＶデコーダに伝送するためのビデオデータ伝送路とを有し、
特殊再生を行う時には前記ビデオデータを前記オーディオデータ伝送路と前記ビデオデータ伝送路との両方を使って前記ＡＶデコーダに伝送する、
伝送帯域制御装置。
【請求項３】
パケット化されたオーディオデータを通常再生するためにＡＶデコーダに伝送するためのオーディオデータ伝送手順と、
パケット化されたビデオデータを通常再生または特殊再生するためにＡＶデコーダに伝送するためのビデオデータ伝送手順とを有し、
特殊再生を行う時には前記ビデオデータを前記オーディオデータ伝送路と前記ビデオデータ伝送路との両方を使って前記ＡＶデコーダに伝送する、
伝送帯域制御方法。
【発明の詳細な説明】
【０００１】
【発明の属する技術分野】
本発明は例えばデジタルビデオディスク（ＤＶＤ）や、デジタルビデオテープレコーダ（Ｄ−ＶＴＲ）や、内蔵ハードディスクドライブ（ＨＤＤ）を有するセットトップボックス（ＳＴＢ）や、大容量のＨＤＤを有するパーソナルコンピュータ（ＰＣ）等のように、デジタル化され、パケット化されたオーディオデータとビデオデータを記憶し、再生することのできる装置において使用される、オーディオデータやビデオデータを記憶手段から読み出し、これらのデータを通常再生または特殊再生するためにデコードするＡＶデコーダに対して伝送するためのデータ伝送路を制御する伝送帯域制御装置、或いはこのデータ伝送路を制御する時に使用される伝送帯域制御方法、或いはこの伝送帯域制御装置を有するオーディオ・ビデオデータ記憶再生装置に関するものである。
【０００２】
【従来の技術】
従来の、オーディオ・ビデオデータを高速に読み出し、再生することが可能なオーディオ・ビデオデータ記憶再生装置には、例えば下記特許文献１に記載の高速データ記録再生装置があった。
この高速データ記録再生装置の主要部のブロック構成図を図５に示す。
【０００３】
この高速データ記録再生装置は、高データレートで長時間データを記録再生するために、一般的なディスク記憶装置９１１、９２１、９３１を用い、全体として個々のディスク記憶装置の平均アクセス時間と略等しいデータレートが得られるようにすることを目的としている。
そのために、例えばディスク記憶装置９１１から読み出しスレッド９１２により他の要素とは独立に制御され読み出されたオーディオ・ビデオデータは、所定の単位でリングバッファ９１３に格納される。
【０００４】
同様に、ディスク記憶装置９２１から読み出しスレッド９２２により他の要素とは独立に制御され読み出されたオーディオ・ビデオデータは、所定の単位でリングバッファ９２３に格納される。また同様に、ディスク記憶装置９３１から読み出しスレッド９３２により他の要素とは独立に制御され読み出されたオーディオ・ビデオデータは、所定の単位でリングバッファ９３３に格納される。
【０００５】
リングバッファ９１３、９２３、９３３からは、出力スレッド９４０によって所定の順序でオーディオ・ビデオデータが読み出され、オーディオ・ビデオストリームとして、オーディオ・ビデオデコーダ９４２に出力される。
この時、出力スレッド９４０によって、各要素が定期的にチェックされ、リングバッファ９１３、９２３、９３３の使用率が所定値以下である要素に対してフラグが立てられる。読み出しスレッド９１２、９２２、９３２は、他の要素にフラグが立っており、自分自身のリングバッファ９１３、９２３、９３３の使用率が所定値以上であれば、ディスク記録装置９１１、９２１、９３１からのデータの読み出しを休止する。
【０００６】
このように、リングバッファ９１３、９２３、９３３の使用率をフラグで制御することにより、ディスク記憶装置９１１、９２１、９３１における変動の吸収ならびに負荷に応じた能力の振り分けを行うことができる。
【０００７】
【特許文献１】特開平１０−２０７６３９号公報
【０００８】
【発明が解決しようとする課題】
しかしながら上記のような従来の高速データ記録再生装置では、各要素の負荷を均等に分配し、高速にオーディオ・ビデオ信号を読み出すことはできるが、出力スレッドか９４０からオーディオ・ビデオデコーダ９４２にデータを送信するオーディオ・ビデオバス９４８は１つでしかもれは固定されたものであるため、各要素から高速で読み出した信号も、このオーディオ・ビデオバス９４８がボトルネックとなって高速にオーディオ・ビデオデコーダ９４２に送信することができないと言う問題点があった。
【０００９】
またこれを解決し、各要素から高速で読み出した信号を高速にオーディオ・ビデオデコーダ９４２に送信しようとすると、このオーディオ・ビデオバス９４８を非常に広帯域のものとして設計することが必要になり、例えばこの部分をＬＳＩとして設計しようとするとＬＳＩセル上に広範囲な面積を占めたり、クロック信号を高速化することが必要になり、その結果高コストにつながることがあった。
【００１０】
また、バスの使用時間が多くなることにより、他の処理で必要なデータの転送に輻輳を生じる可能性が高くなると言う影響が考えられ、これによって全体的な動作の不安定につながると言う問題点があった。
またこのような問題点は、オーディオ・ビデオデータを通常再生するだけならそれ程大きくはない場合であっても、特殊再生、即ち通常再生の何倍かの速さで高速再生しようとする時には、オーディオ・ビデオバス９４８もその通常再生の数倍の広帯域を必要とすることになり、通常再生では問題なく再生処理が可能であったとしても、特殊再生時の広帯域使用によりシステム全体の処理に影響を生じることがあり、これは致命的な問題点となるものであった。
【００１１】
この問題を回避するため、システム全体で限られた帯域のリソース配分を特殊再生を意識したものとして設定すると、通常再生時には帯域のリソースに余裕を持つことになるが、しかしその一方、リソースを持つことがコストに直接影響するシステムでは非効率的であった。
【００１２】
【課題を解決するための手段】
本特許出願に係る請求項１に記載の発明は、
パケット化されたオーディオデータとビデオデータを記憶する記憶手段と、
前記記憶手段から記憶されているオーディオデータとビデオデータの両方または何れか一方を通常再生または特殊再生を行うために読み出す制御手段と、
前記読み出したオーディオデータとビデオデータを通常再生または特殊再生するためにデコードするＡＶデコーダと、
前記読み出したオーディオデータを前記制御手段から前記ＡＶデコーダに伝送するためのオーディオデータ伝送路と、
前記読み出したビデオデータを前記制御手段から前記ＡＶデコーダに伝送するためのビデオデータ伝送路と、
を有し、
前記制御手段が特殊再生を行う時には、前記読み出したビデオデータを前記オーディオデータ伝送路と前記ビデオデータ伝送路との両方を使って、前記制御装置から前記ＡＶデコーダに伝送する、
オーディオ・ビデオデータ記憶再生装置である。
【００１３】
本特許出願に係る請求項２に記載の発明は、
パケット化されたオーディオデータを通常再生するためにＡＶデコーダに伝送するためのオーディオデータ伝送路と、
パケット化されたビデオデータを通常再生または特殊再生するためにＡＶデコーダに伝送するためのビデオデータ伝送路とを有し、
特殊再生を行う時には前記ビデオデータを前記オーディオデータ伝送路と前記ビデオデータ伝送路との両方を使って前記ＡＶデコーダに伝送する、
伝送帯域制御装置である。
【００１４】
本特許出願に係る請求項３に記載の発明は、
パケット化されたオーディオデータを通常再生するためにＡＶデコーダに伝送するためのオーディオデータ伝送手順と、
パケット化されたビデオデータを通常再生または特殊再生するためにＡＶデコーダに伝送するためのビデオデータ伝送手順とを有し、
特殊再生を行う時には前記ビデオデータを前記オーディオデータ伝送路と前記ビデオデータ伝送路との両方を使って前記ＡＶデコーダに伝送する、
伝送帯域制御方法である。
【００１５】
【発明の実施の形態】
本特許出願に係る発明（以後、本発明とも言う）の実施の形態を図面を使って詳細に説明する。
（本発明の第１の実施の形態）
本発明の第１の実施の形態のオーディオ・ビデオデータ記憶再生装置のブロック構成図及びそれに使用される伝送帯域制御装置の詳細なブロック構成図を図１に示す。
【００１６】
本実施の形態のオーディオ・ビデオデータ記憶再生装置において、記録再生の対象となるコンテンツであるオーディオ・ビデオデータはオーディオ・ビデオデータ記録部１０２に記憶される。
このオーディオ・ビデオデータ記録部１０２は、パケット化されたオーディオデータとビデオデータを記憶する記憶手段の１実施の形態である。
【００１７】
このオーディオ・ビデオデータ記録部１０２は、具体的には例えば、電気磁気的な原理で情報を記録する手段であるハードディスク装置やフレキシブルディスク装置やその他の固定型または可搬型（取り外し可能、リムーバブル、その他を含むもの）のディスク装置やドラム型その他の記録手段や、光学的な原理で情報を記録する手段であるデジタルビデオディスク（ＤＶＤ）やコンパクトディスク（ＣＤ）やその他の固定型または可搬型のディスク装置や、電磁気的な原理と光学的なを組み合わせて情報を記録する光磁気ディスク（ＭＯ：Magneto Optical）や、半導体素子を使って電気電子的に情報を記憶する各種の半導体メモリ、例えばＤＲＡＭ、ＲＯＭ、ＳＲＡＭ、ＦＲＡＭや、これらの半導体ＲＡＭを使ったメモリカードや、記憶メディアや、以上の記憶手段を複数組み合わせて情報を記憶する各種の手段である。
【００１８】
このオーディオ・ビデオデータ記録部１０２に記憶された記録再生の対象となるコンテンツであるオーディオ・ビデオデータは、オーディオ・ビデオデータ再生アプリケーション部１０３によって読み出される。
このオーディオ・ビデオデータ再生アプリケーション部１０３は、前記記憶手段から記憶されているオーディオデータとビデオデータの両方または何れか一方を通常再生または特殊再生を行うために読み出す制御手段の１実施の形態である。
【００１９】
このオーディオ・ビデオデータ再生アプリケーション部１０３は、具体的には例えば、ＤＶＤプレイヤーの操作部とオーディオ・ビデオデータ再生部である。即ち、この１実施の形態であるＤＶＤプレイヤーの操作部をユーザが操作することによって、このＤＶＤプレイヤーのオーディオ・ビデオデータ再生部が起動され、オーディオ・ビデオデータ記録部１０２から記録されているオーディオ・ビデオデータを選択して読み出す。
【００２０】
この選択や読み出しの方法については、本発明と直接関係しないので詳細な説明を省略する。
或いは他の実施の形態では例えばこのオーディオ・ビデオデータ再生アプリケーション部１０３は、具体的には例えば、大容量ハードディスク（ＨＤＤ）を内蔵しているパソコンとそのパソコン上で動作するオーディオ・ビデオ再生ソフトである。
【００２１】
ユーザはこのパソコンを操作し、このオーディオ・ビデオ再生ソフトを起動し、操作することによってオーディオ・ビデオデータ記録部１０２であるＨＤＤに記録されているオーディオ・ビデオデータを選択して読み出す。この場合の選択と読み出しの方法についても、本発明と直接関係しないので詳細な説明を省略する。
【００２２】
或いはまたこのオーディオ・ビデオデータ再生アプリケーション部１０３は、具体的には例えば、ビデオカメラの操作部とオーディオ・ビデオデータ再生部である。
ユーザはこのビデオカメラの操作部を操作することによって、このビデオカメラのオーディオ・ビデオデータ記録部１０２である例えば、ビデオテープに記録されているこのビデオカメラで撮影し、記録したオーディオ・ビデオデータを選択して読み出す。この場合の選択と読み出しの方法についても、本発明と直接関係しないので詳細な説明を省略する。
【００２３】
或いはまたこのオーディオ・ビデオデータ再生アプリケーション部１０３は、具体的には例えば、ＨＤＤを内蔵しているデジタル放送受信機の操作部とオーディオ・ビデオデータ再生部である。
ユーザはこのデジタル放送受信機の操作部を操作することによって、このデジタル放送受信機のオーディオ・ビデオデータ記録部１０２である例えばＨＤＤに記録されている、このデジタル放送受信機で受信し、記録したオーディオ・ビデオデータを選択して読み出す。この場合の選択と読み出しの方法についても、本発明と直接関係しないので詳細な説明を省略する。
【００２４】
その他このオーディオ・ビデオデータ再生アプリケーション部１０３は、具体的には例えば、種々の操作手段を備えた或いは操作手段を備えていない、オーディオ・ビデオデータ記録部１０２に記憶しているオーディオ・ビデオデータを読み出す種々の手段である。
このオーディオ・ビデオデータ再生アプリケーション部１０３が読み出したオーディオ・ビデオデータは、仮想化ライブラリ部１０４に送られる。
【００２５】
この仮想化ライブラリ部は、例えば本特許出願に係る発明の伝送帯域制御装置の１実施の形態であり、この伝送帯域制御装置が行うのは、本特許出願に係る発明の伝送帯域制御方法の１実施の形態である。
この伝送帯域制御装置の１実施の形態のブロック構成は、オーディオ・ビデオデータ記憶再生装置のブロック構成の一部として同じ図１に示す。
【００２６】
より具体的且つ詳細には、オーディオ・ビデオデータ再生アプリケーション部１０３が読み出したオーディオ・ビデオデータは、オーディオデータとビデオデータに分けられ、それぞれオーディオ用データバス１０７とビデオ用データバス１０５を経由して、それぞれオーディオデータ受信部１１０とビデオデータ受信部１０８に送られる。
【００２７】
また例えば、オーディオ・ビデオデータ再生アプリケーション部１０３からの制御情報、より具体的には例えば、通常再生指示情報や特殊再生指示情報等はコマンド用データバス１０６を経由してコマンドフィルタリング部１０９に送られる。
更にこの制御情報、具体的には例えば、通常再生指示情報や特殊再生指示情報等は帯域制御部１２１に送られ、その制御内容に応じた帯域制御がビデオデータ受信部１０８とビデオデータ分割処理部１１３に対して行われる。
【００２８】
この制御情報が例えば通常再生指示信号であったとする。
この通常再生時のオーディオデータとビデオデータの流れをより詳細に図２に示す。
オーディオデータ受信部１１０が受信したオーディオデータは、オーディオデータ送信部１１４へ送られ、更にオーディオパイプ１１７を経由してオーディオ・ビデオ信号デコーダ１１９に送られる。ビデオデータ受信部１０８が受信したビデオデータは、ビデオデータ送信部１１２へ送られ、更にビデオパイプ１１５を経由してオーディオ・ビデオ信号デコーダ１１９に送られる。
【００２９】
このオーディオパイプ１１７は、読み出したオーディオデータを前記制御手段の１実施の形態であるオーディオ・ビデオデータ再生アプリケーション部１０３からＡＶデコーダの１実施の形態であるオーディオ・ビデオ信号デコーダ１１９に伝送するためのオーディオデータ伝送路の１実施の形態である。
このビデオパイプ１１５は、読み出したビデオデータを前記制御手段の１実施の形態であるオーディオ・ビデオデータ再生アプリケーション部１０３から前記ＡＶデコーダの１実施の形態であるオーディオ・ビデオ信号デコーダ１１９に伝送するためのビデオデータ伝送路の１実施の形態である。
【００３０】
オーディオ・ビデオ信号デコーダ１１９でデコードされたビデオデータは、ビデオデータ再生部１１８によって再生される。
このビデオデータ再生部１１８は例えばビデオモニタ表示装置等である。
オーディオ・ビデオ信号デコーダ１１９でデコードされたオーディオデータは、オーディオデータ再生部１２０によって再生される。
【００３１】
このオーディオデータ再生部１１８は例えばスピーカ等である。
このケースではオーディオパイプ１１７とビデオパイプ１１５の帯域は充分利用されている。
この制御情報が例えば特殊再生指示信号であったとする。
この特殊再生時のオーディオデータとビデオデータの流れをより詳細に図３に示す。
【００３２】
オーディオデータ受信部１１０がオーディオデータバス１０７を経由して受信したオーディオデータは、オーディオデータ送信部１１４へ送られず、仮想化ライブラリ内で廃棄される。
特殊再生ではオーディオデータを再生することは通常行わないため、オーディオデータは不要だからである。
【００３３】
ビデオデータ受信部１０８がビデオデータバス１０５を経由して受信したビデオデータは、特殊再生する必要から通常再生時のビデオデータよりもデータ量が多く、伝送のためには通常再生時よりも大きな帯域を必要とする。
そこで帯域制御部１２１からの制御によって帯域制御が行われる。
具体的にはビデオデータ受信部１０８が受信したよりデータ量の多いビデオデータは、ビデオデータ分割処理部１１３へ送られる。
【００３４】
ビデオデータ分割処理部１１３では、このよりデータ量の多いビデオデータが２つに分けられ、その一方はビデオデータ送信部１１２へ送られ、他の一方はオーディオデータ送信部１１４に送られる。
上記の通り、オーディオデータ受信部１１０が受信したオーディオデータは、廃棄されオーディオデータ送信部１１４へは送られず、オーディオデータ送信部１１４は空いているからである。
【００３５】
このよりデータ量の多いビデオデータ（Ｖｉｄｅｏ  ＰＥＳ：Ｐａｃｋｅｔｉｚｅｄ  Ｅｌｅｍｅｎｔａｒｙ  Ｓｔｒｅａｍ）単位に2つの伝送路に配分し送信する状態を、図４に示す。
図４に示す通り、ビデオデータ（Ｖｉｄｅｏ  ＰＥＳ：ＰａｃｋｅｔｉｚｅｄＥｌｅｍｅｎｔａｒｙ  Ｓｔｒｅａｍ）に分割送信し、受信側で結合される。
【００３６】
オーディオデータ送信部１１４に送られたビデオデータはオーディオパイプ１１７を経由してオーディオ・ビデオ信号デコーダ１１９に送られ、ビデオデータ送信部１１２に送られたビデオデータは、ビデオパイプ１１５を経由してオーディオ・ビデオ信号デコーダ１１９に送られる。
この時の状態も図４に示す。
【００３７】
このオーディオ・ビデオ信号デコーダ１１９は、読み出したオーディオデータとビデオデータを通常再生または特殊再生するためにデコードするＡＶデコーダの１実施の形態である。
オーディオ・ビデオ信号デコーダ１１９は、コマンドフィルタリング部１０９からコマンドパイプ１１６を経由して送られて来る制御信号により、オーディオパイプ１１７とビデオパイプ１１５から送られて来るデータが、両方ビデオデータであり、それらを１つのビデオストリームに合成しなければならないことを知る。
【００３８】
図４に示すように、オーディオパイプ１１７とビデオパイプ１１５から送られて来るビデオデータは、一旦オーディオバッファ４０１とビデオバッファ４０２に蓄積される。
これらのバッファに蓄積されたＰＥＳのＰＴＳはそのパケットヘッダに記録された表示時間情報であり、ＰＴＳの小さな順に取り出され、順次デコードされる。
【００３９】
これによってオーディオパイプ１１７とビデオパイプ１１５の伝送速度の差やその他の事情により、オーディオ・ビデオ信号デコーダ１１９に到着するＰＥＳの順序に関わりなく、本来の正しい順序でビデオデータをデコードすることができる。
オーディオ・ビデオ信号デコーダ１１９でデコードされたビデオデータは、ビデオデータ再生部１１８によって再生される。
【００４０】
このビデオデータ再生部１１８は例えばビデオモニタ表示装置等である。
このケースではよりデータ量の多いビデオデータを、オーディオパイプ１１７とビデオパイプ１１５に分けて伝送することにより、空いているオーディオパイプ１１７を有効に活用し、ビデオパイプ１１５の帯域をより多いビデオデータのデータ量に合せて広げることなく、伝送することができる。
【００４１】
このケースでもオーディオパイプ１１７とビデオパイプ１１５の帯域は充分利用されている。
（その他の変形例）
なお、本発明を上記の実施の形態に基づいて説明してきたが、本発明は、上記の実施の形態に限定されないのはもちろんである。以下のような場合も本発明に含まれる。
【００４２】
（１）上記の各装置は、具体的には、マイクロプロセッサ、ＲＯＭ、ＲＡＭ、ハードディスクユニット、ディスプレィユニット、キーボード、マウスなどから構成されるコンピュータシステムである。前記ＲＡＭ又は前記ハードディスクユニットには、コンピュータプログラムが記憶されている。前記マイクロプロセッサが、前記コンピュータプログラムに従って動作することにより、各装置は、その機能を達成する。
【００４３】
（２）本発明は、上記に示す方法であるとしてもよい。また、これらの方法をコンピュータにより実現するコンピュータプログラムであるとしてもよいし、前記コンピュータプログラムからなるデジタル信号であるとしてもよい。
また、本発明は、前記コンピュータプログラム又は前記デジタル信号をコンピュータ読み取り可能な記録媒体、例えば、フレキシブルディスク、ハードディスク、ＣＤ―ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなど、に記録したものとしてもよい。また、これらの記録媒体に記録されている前記コンピュータプログラム又は前記デジタル信号であるとしてもよい。
【００４４】
また、本発明は、前記コンピュータプログラム又は前記デジタル信号を、電気通信回線、無線又は有線通信回線、インターネットを代表とするネットワーク、データ放送等を経由して伝送するものとしてもよい。
また、本発明は、マイクロプロセッサとメモリとを備えたコンピュータシステムであって、前記メモリは、上記コンピュータプログラムを記憶しており、前記マイクロプロセッサは、前記コンピュータプログラムに従って動作するとしてもよい。
【００４５】
また、前記プログラム又は前記デジタル信号を前記記録媒体に記録して移送することにより、又は前記プログラム又は前記デジタル信号を前記ネットワーク等を経由して移送することにより、独立した他のコンピュータシステムにより実施するとしてもよい。
（３）上記実施の形態及び上記変形例をそれぞれ組み合わせるとしてもよい。
【００４６】
【発明の効果】
本発明によれば、リソースを増設することなく、通常再生に加え特殊再生時にも充分な伝送帯域を確保することができ、その実用的価値は極めて大きい。
【図面の簡単な説明】
【図１】本発明の第１の実施の形態のオーディオ・ビデオデータ記憶再生装置のブロック構成とそれに使用される伝送帯域制御装置の詳細なブロック構成を示す図
【図２】通常再生時のオーディオデータとビデオデータの流れを示す図
【図３】特殊再生時のオーディオデータとビデオデータの流れを示す図
【図４】ビデオデータが２つに分けられる状態を示す図
【図５】従来の高速データ記録再生装置の主要部のブロック構成を示す図
【符号の説明】
１０２  オーディオ・ビデオデータ記録部
１０３  オーディオ・ビデオデータ再生アプリケーション部
１０４  仮想化ライブラリ部
１０５  ビデオ用データバス
１０６  コマンド用データバス
１０７  オーディオ用データバス
１０８  ビデオデータ受信部
１０９  コマンドフィルタリング部
１１０  オーディオデータ受信部
１１２  ビデオデータ送信部
１１３  ビデオデータ分割処理部
１１４  オーディオデータ送信部
１１５  ビデオパイプ
１１６  コマンドパイプ
１１７  オーディオパイプ
１１８  ビデオデータ再生部
１１９  オーディオ・ビデオ信号デコーダ
１２０  オーディオデータ再生部
４０１  オーディオバッファ
４０２  ビデオバッファ
９１０，９２０，９３０  要素
９１１，９２１，９３１  ディスク記憶装置
９１２，９２２，９３２  読み出しスレッド
９１３，９２３，９３３  リングバッファ
９４０  出力スレッド
９４２  オーディオ・ビデオデコーダ
９４４  モニターテレビ
９４６  スピーカ
９４８  オーディオ・ビデオバス
【図１】
2004207787.tif 000003
【図２】
2004207787.tif 000004
【図３】
2004207787.tif 000005
【図４】
2004207787.tif 000006
【図５】
2004207787.tif 000007